(57)【要約】【課題】  水晶体や眼内レンズの屈折力分布を評価しやすくし、診断の幅を広げる。【解決手段】  眼科装置は、同一の基準軸で得られた被検眼の角膜屈折力分布データ及び全屈折力分布データを入力するデータ入力手段と、前記角膜屈折力分布データ及び全屈折力分布データから前記基準軸に対する眼内屈折力分布を演算する第１演算手段と、該第１演算手段で得られた眼内屈折力分布について前記基準軸に対するプリズム成分を求め、該プリズム成分を除去した眼内屈折力分布を演算する第２演算手段と、該第２演算手段で得られた屈折力分布をカラーマップとして表示する表示手段と、を備える。【選択図】      図６
2006026242.tif 000002
【特許請求の範囲】
【請求項１】
同一の基準軸で得られた被検眼の角膜屈折力分布データ及び全屈折力分布データを入力するデータ入力手段と、前記角膜屈折力分布データ及び全屈折力分布データから前記基準軸に対する眼内屈折力分布を演算する第１演算手段と、該第１演算手段で得られた眼内屈折力分布について前記基準軸に対するプリズム成分を求め、該プリズム成分を除去した眼内屈折力分布を演算する第２演算手段と、該第２演算手段で得られた屈折力分布をカラーマップとして表示する表示手段と、を備えることを特徴とする眼科装置。
【請求項２】
請求項１の第２演算手段は、前記基準軸に対してプリズム成分が発生している軸角度を算出し、該プリズム成分の軸角度を同じにして前記基準軸を中心とした異なる径でそれぞれのプリズム成分を求め、各径でのプリズム成分を除去した眼内屈折力分布を演算することを特徴とする眼科装置。
【請求項３】
請求項１の眼科装置において、プリズム成分を除去した眼内屈折力分布を表示するか否かを選択する選択手段を設けたことを特徴とする眼科装置。
【請求項４】
請求項１の表示手段は、眼の中心部の屈折力を０Ｄ基準とした眼内屈折力分布をカラーマップで表示する手段であることを特徴とする眼科装置。
【請求項５】
被検眼の眼内屈折力分布を算出するためにコンピュータを、同一の基準軸で得られた角膜屈折力分布データ及び全屈折力分布データを入力するデータ入力手段と、前記角膜屈折力分布データ及び全屈折力分布データから前記基準軸に対する眼内屈折力分布を演算する第１演算手段と、該第１演算手段で得られた眼内屈折力分布について前記基準軸に対するプリズム成分を求め、該プリズム成分を除去した眼内屈折力分布を演算する第２演算手段と、該第２演算手段で得られた屈折力分布をカラーマップとして表示する表示手段として機能させることを特徴とする眼内屈折力分布算出プログラム。
【請求項６】
請求項５の第２演算手段は、前記基準軸に対してプリズム成分が発生している軸角度を算出し、該プリズム成分の軸角度を同じにして前記基準軸を中心とした異なる径でそれぞれのプリズム成分を求め、各径でのプリズム成分を除去した眼内屈折力分布を演算することを特徴とする眼内屈折力算出プログラム。
【発明の詳細な説明】
【技術分野】
【０００１】
本発明は、眼内の屈折力分布を得る眼科装置に関する。
【背景技術】
【０００２】
角膜トポグラフィ装置等により得られた角膜屈折力分布データと、波面収差測定装置や眼屈折力測定装置で得られた全屈折力分布データと、により角膜後面より網膜までの眼内の屈折力分布を算出し、その結果をカラーマップで表示する眼科装置が提案されている（特許文献１参照）。
【特許文献１】特開平１１−２７６４３７号公報
【発明の開示】
【発明が解決しようとする課題】
【０００３】
上記の装置によれば、角膜後面から網膜までの眼内における屈折力分布が理解でき、水晶体の屈折力分布や眼内レンズ移植眼における眼内レンズの屈折力分布を評価するのに役立つ。しかし、眼内レンズが傾いて挿入さている場合は、眼内屈折力分布はプリズム成分（傾斜成分）を含むことになり、眼内レンズの屈折力分布を正しく推定することはできなかった。また、円錐角膜のような眼では、角膜表面はもとより角膜後面も大きく歪んでおり、角膜矯正手術を受けた眼で、センターずれが生じた眼では、角膜表面の歪みが大きくなる。これらの場合にも、眼内屈折力分布は角膜の歪みよりプリズム成分を含むことになり、水晶体の屈折力分布を正しく推定することはできなかった。
【０００４】
本発明は、上記従来装置の問題点に鑑み、水晶体や眼内レンズの屈折力分布を評価しやすくなり、診断の幅を広げることができる眼科装置及び眼内屈折力分布算出プログラムを提供することを技術課題とする。
【課題を解決するための手段】
【０００５】
上記課題を解決するために、本発明は次のような構成を備えることを特徴とする。
【０００６】
（１）  眼科装置は、同一の基準軸で得られた被検眼の角膜屈折力分布データ及び全屈折力分布データを入力するデータ入力手段と、前記角膜屈折力分布データ及び全屈折力分布データから前記基準軸に対する眼内屈折力分布を演算する第１演算手段と、該第１演算手段で得られた眼内屈折力分布について前記基準軸に対するプリズム成分を求め、該プリズム成分を除去した眼内屈折力分布を演算する第２演算手段と、該第２演算手段で得られた屈折力分布をカラーマップとして表示する表示手段と、を備える。前記基準軸は、視軸又は照準線であることが好ましい。
（２）  （１）の第２演算手段は、前記基準軸に対してプリズム成分が発生している軸角度を算出し、該プリズム成分の軸角度を同じにして前記基準軸を中心とした異なる径でそれぞれのプリズム成分を求め、各径でのプリズム成分を除去した眼内屈折力分布を演算する構成とすると良い。この場合、プリズム成分が発生している軸角度の算出は、角膜上約３ｍｍ径とすることが好ましい。
（３）  （１）の眼科装置において、プリズム成分を除去した眼内屈折力分布を表示するか否かを選択する選択手段を設けることが好ましい。こうすれば、より診断の幅を広げることができる。
（４）  （１）の表示手段は、眼の中心部の屈折力を０Ｄ基準とした眼内屈折力分布をカラーマップで表示する手段であることが好ましい。
（５）  眼内屈折力分布算出プログラムは、被検眼の眼内屈折力分布を算出するためにコンピュータを、同一の基準軸で得られた角膜屈折力分布データ及び全屈折力分布データを入力するデータ入力手段と、前記角膜屈折力分布データ及び全屈折力分布データから前記基準軸に対する眼内屈折力分布を演算する第１演算手段と、該第１演算手段で得られた眼内屈折力分布について前記基準軸に対するプリズム成分を求め、該プリズム成分を除去した眼内屈折力分布を演算する第２演算手段と、該第２演算手段で得られた屈折力分布をカラーマップとして表示する表示手段として機能させることを特徴とする。前記基準軸は、視軸又は照準線であることが好ましい。
（６）  （５）の第２演算手段は、前記基準軸に対してプリズム成分が発生している軸角度を算出し、該プリズム成分の軸角度を同じにして前記基準軸を中心とした異なる径でそれぞれのプリズム成分を求め、各径でのプリズム成分を除去した眼内屈折力分布を演算する構成とすると良い。この場合、プリズム成分が発生している軸角度の算出は、角膜上約３ｍｍ径とすることが好ましい。
【発明の効果】
【０００７】
本発明によれば、角膜後面から網膜までの眼内屈折力分布を推定する中で、眼内屈折力分布に存在するプリズム成分を除去する補正を行うことで、水晶体や眼内レンズの屈折力分布を評価しやすくなり、診断の幅を広げることができる。
【発明を実施するための最良の形態】
【０００８】
本発明の実施の形態を図面に基づいて説明する。図１は、眼内屈折力分布を求める眼科装置システムの構成図である。測定装置本体１０は、角膜形状測定部１１と、眼屈折力分布測定部１２とを備える。測定装置本体１０で得られた角膜形状データ、眼屈折力分布データはケーブル１３又は記録メディアを介してコンピュータ１００に入力される。コンピュータ１００は、データを記憶する記憶部及び眼内屈折力分布を求めるプログラムを持つ演算処理装置１０１、ディスプレイ１０２、キーボード等の入力装置１０３を備える。
【０００９】
図２は、測定装置本体１０の光学系概略構成図である。眼屈折力分布測定部１２の測定光学系は、スリット投影光学系２０と受光光学系３０を備える。投影光学系２０は、測定光源１、スリットが形成された回転セクタ２２、投影レンズ２３、絞り２４、ビームスプリッタ２５を備え、回転セクタ２２の回転により被検眼Ｅの眼底にスリット光を投影する。受光光学系３０は、ビームスプリッタ２５の後方に受光レンズ３１、絞り３２、受光部３３を備える。受光部３３は、図３に示すように、被検眼角膜と略共役に位置する１０個の受光素子３３ａ〜３３ｊを備える。この内の受光素子３３ａ〜３３ｈは光軸位置Ｌ１を通る直線上に位置し、受光素子３３ａと３３ｈ、受光素子３３ｂと３３ｇ、受光素子３３ｃと３３ｆ、受光素子３３ｄと３３ｅがそれぞれ対を成すように、光軸位置Ｌ１に対して対称に配置されている。４対の受光素子は、角膜の測定経線方向で異なる部位の屈折力を得られるようにその配置距離が設定されている。一方、受光素子３３ｉと３３ｊは、光軸位置Ｌ１を中心にして受光素子３３ａ〜３３ｈの配置方向と直交する方向に配置されている。また、回転セクタ２２と受光部３３は、それぞれ投影光軸と受光光軸を中心に同期して回転可能に構成されている。
【００１０】
角膜形状測定部１１は、プラチドリング投影光学系４０と撮像光学系５０を備える。プラチドリング投影光学系４０は、多数の円環状の指標が形成されたプラチド板４１と、プラチド板４１を背後から照明する光源４２と、反射板４３とを備える。撮像光学系５０は、ビームスプリッタ５１、５２、撮影レンズ５３、撮像手段としてＣＣＤカメラ５４を備える。撮像光学系５０は前眼部観察光学系として兼用される。ＣＣＤカメラ５４の出力は画像メモリを持つ画像処理部７１に接続され、画像処理部７１はディスプレイ７２と演算制御部７０に接続されている。受光部３３の出力も演算制御部７０に接続されている。演算制御部７０は、角膜形状と眼屈折力分布を演算する機能を持つ。入力部７３は演算制御部７０に指令信号を入力する各種のスイッチを持つ。
【００１１】
また、測定装置本体１０は固視光学系６０を備える。固視光学系６０は、可視光源６１と、固視標６２と、光軸方向に移動可能なレンズ６３とを備える。眼屈折力測定時には、レンズ６３を光軸方向に移動することにより、被検眼に雲霧を与える。
【００１２】
角膜形状測定時には、光源４２が点灯され、角膜にプラチドリングが投影される。被検眼Ｅに固視標光学系６０の固視標６２を固視させる。カメラ５４に撮像された前眼部像はディスプレイ７２に表示される。スリット投影光学系２０の測定光源２１は、アライメント光源として兼用されており、光源２１により角膜中心に形成される輝点が上下左右のアライメント指標として使用される。検者はディスプレイ７２に表示された前眼部像を観察し、光源２１によるアライメント指標と図示なきレチクルが所定の関係になるように光学系をアライメントする。作動距離のアライメントは、光源２１による角膜輝点のピントが合うようにして行えるが、別のアライメント検出系を設けることが好ましい。アライメントを完了させた後に、測定スイッチを押すことでカメラ５４により撮像されたラチドリング像が画像処理部７１の画像メモリに記憶される。画像処理部７１はプラチドリング像を画像処理することによりそのエッジを検出する。そして、演算制御部７０は所定の角度（１度ステップ）毎に角膜中心（光源２１による輝点）を基準にした角膜曲率分布を求める。
【００１３】
眼屈折力の測定時も光源２１の角膜反射輝点を使用してアライメントし、測定を実行する。眼屈折力測定では、回転セクタ２２の回転により被検眼眼底にスリット光束が投影され、その反射光が受光部３３に受光される。眼屈折力分布は、受光素子３３ｉと３３ｊの出力信号の位相差から、測定光軸の中心位置か求められ、この対の受光素子と直交する経線方向に位置する受光素子３３ａ〜３３ｈの出力信号から、一つの測定経線方向で各受光素子に対応する角膜部位での屈折力が求められる。そして、回転セクタ２２と受光部３３をそれぞれの光軸回りに、例えば、１度ステップで回転させることにより、演算制御部７０は各回転ステップ毎の測定経線で変化する屈折力分布を求める（この詳細は、特開平１０−１０８８３７号を参照）。
【００１４】
測定装置本体１０で得られた角膜形状及び眼屈折力分布の測定データは、入力部７３のスイッチ操作でコンピュータ１００に入力され、演算処理装置１０１が持つ記憶部１０１ａに記憶される。演算処理装置１０１は、入力装置１０３からの指示により眼内屈折力分布の演算プログラムを実行し、演算結果をディスプレイ１０２に表示する。眼内屈折力分布の演算プログラムは、記憶部１０１ａに記憶されている。
【００１５】
一般に、詳細な角膜形状を測定する角膜トポグラフィ装置や眼の波面収差測定装置（本実形態では眼屈折力分布測定）は、内部に固視標を備える。測定時には、被検眼に固視標を固視させて測定する。人間の眼は非対称な光学系であり、眼球光学系の曲率中心を通る光軸（Optical Axis）、瞳孔中心と固視標を結ぶ照準線（Line of sight）、固視標と網膜中心窩を結ぶ視軸（Visual axis）等の各種の軸がある。それぞれ測定された角膜屈折力分布と全屈折力分布とから眼内屈折力分布を演算するためには、その位置基準を同じにすることが必要である。本実施形態の測定装置本体１では、同じ角膜反射輝点を利用して角膜形状測定（角膜屈折力分布測定）と全屈折力分布測定を行うので、得られた両データは同じ基準軸（すなわち、測定光軸＝視軸が基準軸）となっている。別々の測定装置で構成された波面収差測定装置では照準線を基準にして測定するものもあるので、この場合には、何れかのデータを座標変換し、同じ軸となるように補正する。これは、演算処理装置１０１で行うことでも良い。
【００１６】
眼内屈折力分布の算出方法を説明する。角膜トポグラフィ装置で得られる角膜曲率分布データは、角膜屈折力分布として表現できる。これは、角膜表面に入射する無限遠からの光が角膜表面によって屈折され、測定光軸と交わるまでの距離から屈折力を求めたものである。この場合、角膜表面の任意の点においてスネルの法則が使われる。眼屈折力分布測定で得られるデータは、眼の全屈折力分布データである。ここでの全屈折力とは、角膜上の任意の位置で、無限遠から眼に入射した光が測定光軸と交わる点と網膜との距離を屈折力誤差として求めたものである。角膜屈折力分布及び全屈折力分布の両者とも、角膜上の任意の点における入射光について計算するため、各々屈折力分布として得られる。その結果は、図４に示すようにカラースケールマップとしてディスプレイ１０２に表示される。図４（ａ）は角膜屈折力分布のカラースケールマップの例であり、図４（ｂ）は全屈折力分布のディスプレイ１０２に表示される。
【００１７】
ここで、全屈折力分布は、習慣的にコンタクレンズや眼鏡等の矯正具の屈折力（正視に対する屈折力誤差）として表現している。すなわち、全屈折力は、角膜屈折力の表現とは異なる。例えば、角膜屈折力４３Ｄの眼が正視眼（全屈折力＝０Ｄ）とし、これに対して、眼軸長が同じとして角膜屈折力＝４６Ｄで近視眼の場合には、全屈折力＝−３Ｄとなる。
【００１８】
角膜屈折力と全屈折力との関係は、角膜屈折力＋眼内屈折力＝全屈折力であるので、眼内屈折力＝全屈折力−角膜屈折力となる。ただし、眼内屈折力をこの式で計算すると、角膜屈折力と同程度の値となり、理解が困難になるため、直流分を除いた乱視成分、イレギュラー（Irregular）成分だけを演算し、マップとして表示する。図４（ｃ）が、このときの眼内屈折力分布をカラースケールマップとして表示した例である。眼内屈折力分布のカラーマップは、例えば、眼の中心部をパワー基準＝０Ｄとすることで、周辺部の屈折力の変化である球面収差がプラスかマイナスかを、カラースケールで視覚的に容易に判断可能になる。例えば、中心部のパワー基準＝０Ｄを緑色とし、プラス側を青色系統、マナス側を黄色から赤色系統に徐々に変化するカラーマップとする。眼内屈折力分布においては、中心部をパワー基準＝０Ｄとすることで、球面収差の大きさ、正負の何れかを容易に把握できる。
【００１９】
なお、角膜屈折力、全屈折力及び眼内屈折力の３者は共に屈折力であるが、３者の関係を扱う場合は基準とする位置を定義しておく。例えば、視軸上の角膜頂点（本実施形態の眼科装置本体１では、測定光軸＝視軸が通る角膜表面の点となる）とすることが、眼科医には理解が容易である。また、図４のマップ表示例においては、眼の中心部の基準位置は、眼内屈折力分布算出の基準軸である測定光軸の位置となっている。
【００２０】
演算処理装置１０１は、上記の関係で眼内屈折力分布を求め、これをカラーマップ表示する。眼内屈折力分布のカラーマップの表示により、通常のノーマルの眼であれば、水晶体の屈折力分布として推定できる。図４はノーマルの眼の例であり、この場合の眼内屈折力分布は同心円上のものとなっている（図４（ｃ）参照）。眼内レンズを挿入した眼であれば、眼内レンズの屈折力分布として推定できる。しかし、眼内レンズ挿入眼において眼内レンズが傾いている場合は、その傾きの成分を含んだ眼内屈折力分布となる。円錐角膜やイレギュラーな角膜では、角膜後面の影響を含んだ眼内屈折力分布となる。
【００２１】
図５は円錐角膜の被検眼についてのカラーマップ表示例である。図５（ａ）は、角膜屈折力分布を、図５（ｂ）は全屈折力分布をカラーマップとして表示している。そして、図５（ｃ）が眼内屈折力分布のカラーマップ表示例である。図５（ｃ）においては、表示領域の端から反対の端に及んで、マイナス屈折力の赤色系からプラス屈折力の青色系まで順次変化したマップとなっている。すなわち、これはプリズム成分を含むものである。また、眼内レンズ挿入眼においても、眼内レンズが傾いている場合の眼内屈折力分布のマップは、図５（ｃ）と同じように、表示領域の端から反対の端に及んで、屈折力のカラーが順次変化するマップとなる。
【００２２】
眼内屈折力を角膜後面から網膜までの屈折力として考えた場合には、角膜後面の影響、あるいは眼内レンズの眼内での傾斜を意味するものとしての見方ができるので、これはこれで意味を持つ。しかし、一般に、人眼の水晶体及び眼内レンズの屈折力分布は、視軸（光軸）を中心として前者は同心円または楕円状、後者は同心円状（球面／非球面レンズ）の分布となっていることから、これらのパワー分布を知ろうとする時は、プリズム成分は邪魔になる。そもそも、プリズム成分が発生する要因は、先にも述べたように、眼内レンズ挿入眼においては眼内レンズが傾いていること、眼は非対称光学系であること、角膜は非対称性乱視であったり、円錐角膜のような病的な角膜変形があること、角膜矯正手術でセンタずれが生じた場合、角膜トポグラフィ装置や眼屈折力分布の測定が視軸（Visual axis）を基準とした角膜頂点で行われること、等の様々な要因がある。
【００２３】
以下、眼内屈折力分布からプリズム成分（傾斜成分）を除去する方法を説明する（図６のフローチャート参照）。なお、眼内屈折力分布データは、角膜屈折力分布データと全屈折力分布データとから計算されるが、各データは半径方向のサンプリング間隔を補間することで、両データを対応させ、より高密度なリング状データとする前処理を施す。例えば、半径方向のリング状データは、直径０．９ｍｍ〜直径６．０ｍｍの範囲で、０．３ｍｍステップで得る。
【００２４】
眼屈折力分布の基準軸Ｌ１を中心とした任意の径での眼内屈折力分布データ、例えば、人視力の重要な領域である角膜上約３ｍｍ径（直径）の眼内屈折力分布データにおいて、基準軸Ｌ１に対してそのデータに発生しているプリズム成分の軸角度（プリズムの基底方向をいう）を、最小自乗法にて求める。最小自乗法は以下の式となる。プリズムの一般的な円周上のデータを示す式として、
【００２５】
【数１】
2006026242.tif 000003
【００２６】
を考える。ここで、Ａはオフセット量、Ｂはプリズム量、αはプリスムの軸角度である。θｉは経線角度（ｉ＝０，１，２，３，…３５９）である。また、任意の経線角度の屈折力をｄｉ（ｉ＝０，１，２，３，…３５９）とする。最小自乗法の定義に基づき、屈折力データｄｉとの差を考え、
【００２７】
【数２】
2006026242.tif 000004
【００２８】
の式２が最小になる各係数を求める。この式２が最小になるためには、式２を係数Ａで偏微分した式、係数Ｂで偏微分した式、αで偏微分した式が、それぞれ０となるように求める。これを計算することにより、αは次の式で求められる。
【００２９】
【数３】
2006026242.tif 000005
【００３０】
プリズム成分を補正する方向α（プリスム軸角度）が決定できたら、各径毎の眼内屈折力分布データ（直径０．９ｍｍ〜直径６．０ｍｍで０．３ｍｍステップ毎のデータ）について、角度αとなす角度θｊの補正プリズム量を算出する。この算出を、図７に基づいて説明する。基準軸Ｌ１に対する屈折力分布について、軸角度αの最大屈折力差は、そのα方向のＡ点の屈折力Ｐ（α）と１８０°反対側にあるＢ点の屈折力Ｐ（α＋１８０）との差ΔＰとして求められる。図７において、プリズムの軸角度αとなす角度θｊにおけるＣ点の補正プリズム量Ｐｃは、以下となる。
【００３１】
Ｐｃ＝（ΔＰ／２）×cos(θｊ)
この式において、θｊを０〜３５９°と変化させ、１度毎に補正プリズム量Ｐｃ（θｊ）を順次求める。各経線方向θｊでの屈折力Ｐ（θｊ）から補正プリズム量Ｐｃ（θｊ）を差引くことで、その位置での補正後の屈折力が求められる。演算プログラムでは、プリズム軸角度αを決定した後、屈折力分布を計算するリング径（直径０．９ｍｍ〜直径６．０ｍｍ、０．３ｍｍステップ）の最内円とし、計算するリング径を順次外側に進める。本実施形態では、合計１８本のリングで計算することになる。これにより、プリズム成分が除去（補正）された屈折力分布が得られる。
【００３２】
図８は、図５（ｃ）の眼内屈折力分布に対して、そのプリズム成分を除去した眼内屈折力分布のカラーマップ表示例である。この例では、屈折力分布の傾斜が除去されたことにより、同心円に比較的近い状態のマップ表示となっている。
【００３３】
以上のように、プリスム成分が除去された眼屈折力分布が推定できるので、診断の幅を広げることができる。すなわち、円錐角膜や角膜矯正手術で偏心照射した眼においては、角膜後面及び角膜表面のプリズムの影響を取り除くことで、水晶体の屈折力分布を推定できる。水晶体の屈折力分布が把握できることから、例えば、水晶体の屈折力分布を経時的に観察することにより老視の進行メカニズム、あるいは白内障発生部位の特定等の研究に役立つ。また、眼内レンズ（眼内コンタクトレンズの場合も含む）の挿入眼では、その傾斜を取り除いた真の屈折力分布が推定できるので、挿入された眼内レンズの光学タイプ（球面レンズ、非球面レンズ、乱視レンズ、多焦点レンズ等）の特定ができ、眼収差を減らす等、より適切なレンズによる再手術を計画することができる。また、折り曲げ可能なフォルダブル眼内レンズでは、ループ圧によるレンズの歪みによって眼収差が発生する。この場合の眼収差の有無を判定できるので、眼内レンズの素材、形状等の設計に反映させることができる。
【００３４】
なお、プリスム成分が除去された眼屈折力分布のマップ表示のみであると、角膜表面の影響や眼内レンズの傾斜等の情報が失われることになる。診断においては、いろいろな角度からの見方も重要である。眼内屈折力分布にプリズム成分があることは、角膜後面の傾きや眼内レンズの傾きを示唆するものであり、これ自体も臨床的には意味がある。したがって、上記のプリズム成分を補正（除去）する／補正しないを眼科医が選択可能にすると良い。この選択は、ディスプレイ１０２に表示される設定画面において、入力装置１０３により選択信号を入力することで可能となる。プリズム成分を補正（除去）する／補正しないの選択は、補正したカラーマップを表示する／表示しないの選択を含むものである。
【００３５】
上記の実施形態は一つの例であり、本発明は上記に限られるものではない。上記では、プリズム成分の軸角度αは最小自乗法を使用して求めたが、フーリエ変換の第１次項から求めても良いし、Zerinkeの多項式を用いて計算しても良い。また、軸角度αは角膜上約３mm径を使用したが、これは２．５mmや４mm等へ任意に指定可能である。この場合、ディスプレイ１０２に表示される設定画面で入力装置１０３により指定する。さらに軸角度αは、複数の径での軸角度を求め、これらの平均や最小自乗法により決定しても良い。
【００３６】
また、眼内屈折力分布を算出するための全屈折力分布データについては、波面収差測定装置によって得られ収差データを入力し、これから全屈折力分布に変換したものを使用することも可能である。屈折力分布と波面収差は相互に可逆的な関係を持つものであるため、全屈折力分布データの入力とは、この場合も含むものである。眼内屈折力分布を算出するための角膜屈折力分布データの入力についても、角膜形状測定の測定結果である角膜曲率分布データから角膜屈折力分布データに変換した場合も含むものである。
【図面の簡単な説明】
【００３７】
【図１】眼内屈折力分布を求める眼科装置システムの構成図である。
【図２】測定装置本体の光学系概略構成図である。
【図３】眼屈折力分布測定部の受光素子構成を示す図である。
【図４】通常のノーマルな眼のカラーマップ表示例である。
【図５】円錐角膜の被検眼についてのカラーマップ表示例である。
【図６】眼内屈折力分布からプリズム成分を除去する方法を説明するフローチャートである。
【図７】プリズムの補正を説明する図である。
【図８】図５（ｃ）の眼内屈折力分布に対して、そのプリズム成分を除去した眼内屈折力分布のカラーマップ表示例である。
【符号の説明】
【００３８】
１０  測定装置本体
１１  角膜形状測定部
１２  眼屈折力分布測定部
１００  コンピュータ
１０１  演算処理装置
１０１ａ  記憶部
１０２  ディスプレイ
１０３  入力装置
【図１】
2006026242.tif 000006
【図２】
2006026242.tif 000007
【図３】
2006026242.tif 000008
【図４】
2006026242.tif 000009
【図５】
2006026242.tif 000010
【図６】
2006026242.tif 000011
【図７】
2006026242.tif 000012
【図８】
2006026242.tif 000013